(57)【要約】  本発明は、探査ネットワークを表現するための三次元モデリング装置、システム、およびキットに関する。この装置、システム、およびキットは、密閉容積部を形成する６つの平面を有する透明な中空の立方体と、６つの平面のうち少なくとも２つの平面に設けられた複数の貫通孔と、極座標および方向を示すように各開口部の周りに設けられた印と、を含む。この装置、システム、およびキットは、探査チャネルを表す複数の透明なロッドをさらに含む。立方体の複数の貫通孔は、探査ネットワークの三次元モデリングのためにロッドを収容するように配置されており、各ロッドはある角度および深さで開口部内に挿入され、それにより表される容積部内に探査ネットワークの視覚的な表現を提供する。
2015537241.tif 000002
【特許請求の範囲】
【請求項１】
探査ネットワークを表現するための三次元モデリング装置であって、
ａ．透明な中空の立方体であって、
ｉ．密閉容積部を形成する６つの平面と、
ｉｉ．前記６つの平面のうち少なくとも２つの平面に設けられた複数の貫通孔と、
ｉｉｉ．極座標および方向を示すように前記貫通孔の各々の周囲に設けられた印と、
を備えた立方体と、
ｂ．探査チャネルを表す複数の透明なロッドであって、その各々が、少なくとも前記平面の対角線の長さを有するロッドと、
を備え、
前記複数の貫通孔が、互いに等距離にあるとともに、前記探査ネットワークの三次元モデリングのために前記複数のロッドを、角度をなした状態で収容するように、該複数の貫通孔が互いに関して平行に揃えられており、
前記ロッドの各々は、前記探査チャネルの角度および深さに対応する角度および深さで前記貫通孔内に挿入され、それによってもたらされる前記ロッドが挿入された前記三次元モデリング装置により、前記容積部内に前記探査ネットワークの視覚的な表現を提供することを特徴とする、三次元モデリング装置。
【請求項２】
前記平面および前記ロッドが、熱可塑性物質であることを特徴とする請求項１に記載の三次元モデリング装置。
【請求項３】
前記熱可塑性物質が、ポリメタクリル酸メチルを備えることを特徴とする請求項２に記載の三次元モデリング装置。
【請求項４】
前記貫通孔が、円形形状を有することを特徴とする請求項１に記載の三次元モデリング装置。
【請求項５】
前記ロッドが、円筒形であることを特徴とする請求項１に記載の三次元モデリング装置。
【請求項６】
前記ロッドが、可撓性を有することを特徴とする請求項１に記載の三次元モデリング装置。
【請求項７】
前記ロッドの各々は、前記探査チャネルの様々な層を表現するために該ロッドにパターンを描くように、マーカで着色することが可能であることを特徴とする請求項１に記載の三次元モデリング装置。
【請求項８】
前記マーカが、消去可能であることを特徴とする請求項７に記載の三次元モデリング装置。
【請求項９】
前記平面が、取り外し可能であることを特徴とする請求項１に記載の三次元モデリング装置。
【請求項１０】
前記立方体の取り付け、取り外しを行うとともに、複数の三次元モデリング装置を互いに連結する、コーナファスナをさらに備えることを特徴とする請求項１に記載の三次元モデリング装置。
【請求項１１】
前記印が、目盛りを有するマーキングまたは測定の単位であることを特徴とする請求項１に記載の三次元モデリング装置。
【請求項１２】
前記マーキングまたは前記測定の単位が、段階状に連続的に配置されることを特徴とする請求項１１に記載の三次元モデリング装置。
【請求項１３】
地表下の探査ネットワークを表現するための三次元モデリング装置であって、
ａ．透明な中空の立方体であって、
ｉ．密閉された地表下の容積部を表す６つの平面と、
ｉｉ．前記６つの平面のうち少なくとも２つの平面に設けられた複数の貫通孔と、
ｉｉｉ．極座標および方向を示すように前記貫通孔の各々の周囲に設けられた印と、
を備えた立方体と、
ｂ．探査井を表す複数の透明なロッドであって、その各々が、少なくとも前記平面の対角線の長さを有するロッドと、
を備え、
前記複数の貫通孔が、互いに等距離にあるとともに、前記地表下の探査ネットワークの三次元モデリングのために前記複数のロッドを、角度をなした状態で収容するように、該複数の貫通孔が互いに関して平行に揃えられており、
前記ロッドの各々は、前記探査井の角度および深さに対応する角度および深さで前記貫通孔内に挿入され、それによってもたらされる前記ロッドが挿入された前記三次元モデリング装置により、前記容積部内に前記地表下の探査ネットワークの視覚的な表現を提供することを特徴とする、三次元モデリング装置。
【請求項１４】
前記平面および前記ロッドが、熱可塑性物質であることを特徴とする請求項１３に記載の三次元モデリング装置。
【請求項１５】
前記熱可塑性物質が、ポリメタクリル酸メチルを備えることを特徴とする請求項１３に記載の三次元モデリング装置。
【請求項１６】
前記貫通孔が、円形形状を有することを特徴とする請求項１３に記載の三次元モデリング装置。
【請求項１７】
前記ロッドが、円筒形であることを特徴とする請求項１３に記載の三次元モデリング装置。
【請求項１８】
前記ロッドが、可撓性を有することを特徴とする請求項１３に記載の三次元モデリング装置。
【請求項１９】
前記ロッドの各々は、前記探査井の種々の層を視覚的に表現するために該ロッドにパターンを描くように、マーカで着色することが可能であることを特徴とする請求項１３に記載の三次元モデリング装置。
【請求項２０】
前記種々の層が、地表下の堆積層または岩質を表すことを特徴とする請求項１９に記載の三次元モデリング装置。
【請求項２１】
前記地表下の堆積層が、鉱物または炭化水素を表すことを特徴とする請求項２０に記載の三次元モデリング装置。
【請求項２２】
前記マーカが、消去可能であることを特徴とする請求項２０に記載の三次元モデリング装置。
【請求項２３】
前記平面が、取り外し可能であることを特徴とする請求項１３に記載の三次元モデリング装置。
【請求項２４】
前記立方体の取り付け、取り外しを行うとともに、複数の三次元モデリング装置を互いに連結する、コーナファスナをさらに備えることを特徴とする請求項１３に記載の三次元モデリング装置。
【請求項２５】
前記印が、目盛りを有するマーキングまたは測定の単位であることを特徴とする請求項１３に記載の三次元モデリング装置。
【請求項２６】
前記マーキングまたは前記測定の単位が、段階状に連続的に配置されることを特徴とする請求項２５に記載の三次元モデリング装置。
【請求項２７】
探査ネットワークの二次元外挿用システムであって、
ａ．探査ネットワークを表現するための三次元モデリング装置であって、
ｉ．透明な中空の立方体であって、
１．密閉容積部を形成する６つの平面と、
２．前記６つの平面のうち少なくとも２つの平面に設けられた複数の貫通孔と、
３．極座標および方向を示すように前記貫通孔の各々の周囲に設けられた印と、
を備えた立方体と、
ｉｉ．探査チャネルを表す複数の透明なロッドであって、少なくとも前記平面の対角線の長さを有するロッドと、
を備え、
前記複数の貫通孔が、互いに等距離にあるとともに、互いに関して平行に揃えられており、
前記ロッドの各々が、前記探査チャネルの種々の層を視覚的に表現するようにマーカで着色され、
前記ロッドの各々が、前記探査チャネルの角度および深さに対応する角度および深さで前記貫通孔内に挿入され、それによってもたらされる前記ロッドが挿入された前記三次元モデリング装置により、前記容積部内に前記探査ネットワークの視覚的な表現を提供する、三次元モデリング装置と、
ｂ．前記探査ネットワークの二次元外挿を不透明な面に投影するように、前記三次元モデリング装置に対してある角度で指向される光源と、
を備えた二次元外挿用システム。
【請求項２８】
前記探査チャネルが、地表下の探査井を表すことを特徴とする請求項２７に記載の二次元外挿用システム。
【請求項２９】
前記探査チャネルの種々の層が、地表下の堆積層または岩質を表すことを特徴とする請求項２８に記載の二次元外挿用システム。
【請求項３０】
探査ネットワークを表現するための三次元モデリングキットであって、
ａ．密閉容積部を形成する透明な中空の立方体を組立てるための複数の取付け可能平面であって、
ｉ．少なくとも２つの前記取付け可能平面に設けられた複数の貫通孔と、
ｉｉ．極座標および方向を示すように前記貫通孔の各々の周囲に設けられた印と、
を備えた取付け可能平面と、
ｂ．探査チャネルを表す複数の透明なロッドであって、それぞれ、少なくとも前記取付け可能平面の対角線の長さを有する複数のロッドと、
ｃ．前記立方体を組み立て、かつ、前記探査ネットワークの三次元モデルを作成するための取扱説明書と、
を備えた三次元モデリングキット。
【請求項３１】
前記観測チャネルの様々な層を表すように前記ロッドにパターンを描くためのマーカをさらに備えることを特徴とする請求項３０に記載の三次元モデリングキット。
【請求項３２】
前記ロッドを支持し、該ロッドへのマーキングを容易にするためのロッドマーキングトレイをさらに備えることを特徴とする請求項３０に記載の三次元モデリングキット。
【請求項３３】
前記取付け可能平面および前記複数のロッドの輸送、保護用のキャリーケースをさらに備えることを特徴とする請求項３０に記載の三次元モデリングキット。
【請求項３４】
前記探査ネットワークの三次元モデルを固定するためのドッキングステーションをさらに備えることを特徴とする請求項３０に記載の三次元モデリングキット。
【請求項３５】
前記立方体の取り付けおよび取り外しのためのコーナファスナをさらに備えることを特徴とする請求項３０に記載の三次元モデリングキット。
【発明の詳細な説明】
【技術分野】
【０００１】
本発明は、概して三次元モデリング装置に関する。特に、本発明は、探査ネットワークを表現するための三次元モデリング装置、システム、およびキットに関する。
【背景技術】
【０００２】
本セクションは、本発明の例示の実施例に関連する技術の幾つかの態様の説明を意図するものである。この考察は、本発明の特定の態様のより良い理解を可能にするための背景を説明するのに役立つものと思われる。従って、本セクションはその観点から解釈されるべきであり、必ずしも従来技術を認めるものではないことを理解されたい。
【０００３】
科学者は、往々にして、情報や潜在的な資源を発見する目的で実地調査に取り組んでいる。実地調査は時には遠隔地で行われ、多くの場合、情報や採算の合う資源が得られる保証のない、相対的に費用のかかるリスクの高い試みであると判断されうる。
【０００４】
科学者はまた、往々にして、他者に情報を伝達する目的で、または商機の評価に役立てる目的で、発見の視覚的な表現（visual representation）の作成に取り組んでいる。その他の状況では、科学者らの発見の視覚的な表現は、教育の目的上、役立つ。
【０００５】
例えば、地質学者や地球科学者らは、多くの場合、地表下の探査に取り組んでいる。固体地球科学を研究し、固体地球の形成、変化の過程を研究するそれらの専門家には、定期的に所定の地下体積内のターゲットを生み出す義務がある。地表下の探査に従事する地質学者は通常、堆積物の形状や位置を明確にする地質学的モデリングを使用する。
【０００６】
地質学的モデリングは通常、地質学者によってなされた観測に基づく地球の地下体積を表すことを含む。一般的な技術は、地下体積をグリッドで分割し、グリッド内の地質学的特徴を規定または予測することを含む。通常、三次元地質学的モデリングに使用可能な方法またはシステムには、コンピュータおよび適切なソフトウェアの使用が要求され、それらは非常に高額であり、直観的に利用できず、定期的なソフトウェアのアップデートが必要である。
【０００７】
その結果、地質学者らは、しばしば様々な不都合に直面し、それらの不都合は時には彼らの作業を不可能にしてしまう場合さえある。それらの不都合は、主として地理的隔離、すなわち、技術訓練に対する限られたアクセスおよび必要な道具や技術に対する限られたアクセスに関係する。
【０００８】
教育訓練との関連においては、地質学の実際の研究は、多数の地面の掘削を含んでおり、それ自体、相当量の訓練がドリルの向きや角度について学ぶことを含む。従って、訓練を受けた地質学者にとって、掘削したドリルホール（wellbore）が地下のどこに到達したのかを正確に理解することが求められ、一部の人にとってそれを視覚化することは多くの場合非常に困難である。さらに、教育課程中の生徒らが実地調査を経験することが不可能な状況において、地下体積の視覚化された物理的な表現を提供するための具体的な視覚化ツールをたやすく入手することができない。
【０００９】
上記の例はまた、地球科学、氷河学、海洋学、陸水学、気候学、または宇宙科学を含む種々の自然科学に限定しない、その他の科学的教義において生徒や科学者が経験する同様の状況を表している。
【発明の概要】
【発明が解決しようとする課題】
【００１０】
従って、探査ネットワークの物理的な表現を提供する廉価かつ直観的に利用できる三次元モデリングツールが依然として必要とされている。
【課題を解決するための手段】
【００１１】
本発明は、探査ネットワークを表現するための三次元モデリング装置、システム、およびキットを提供することにより、上記の必要性に応えるものである。
【００１２】
本発明の一態様では、探査ネットワークを表現するための三次元モデリング装置が提供される。このモデリング装置は、
−透明な中空の立方体であって、
ｏ密閉容積部を形成する６つの平面と、
ｏ６つの平面のうち少なくとも２つの平面に設けられた複数の貫通孔と、
ｏ極座標および方向を示すように各貫通孔の周囲に設けられた印（indicia）と、
を含んだ立方体と、
−探査チャネルを表す複数の透明なロッドであって、その各々が、少なくとも平面の対角線の長さを有するロッドと、
を含んでおり、
複数の貫通孔は、互いに等距離にあるとともに、探査ネットワークの三次元モデリングのために複数のロッドを、角度をなした状態で収容するように、互いに関して平行に揃えられており、
各ロッドは、探査チャネルの角度および深さに対応する角度および深さで貫通孔内に挿入され、それによってもたらされるロッドが挿入された三次元モデリング装置により、容積部内に探査ネットワークの視覚的な表現を提供する。
【００１３】
三次元モデリング装置の任意選択的な態様では、平面およびロッドは、熱可塑性物質である。
【００１４】
好ましくは、熱可塑性物質は、ポリメタクリル酸メチルを含む。
【００１５】
三次元モデリング装置の別の任意選択的な態様では、貫通孔が円形形状を有する。
【００１６】
三次元モデリング装置の別の任意選択的な態様では、ロッドは、円筒形である。
【００１７】
好ましくは、ロッドは、可撓性を有する。
【００１８】
三次元モデリング装置の別の任意選択的な態様では、各ロッドは、探査チャネルの様々な層（strata）を表現すべく該ロッドにパターンを描くように、マーカで着色することが可能である。
【００１９】
好ましくは、マーカは消去可能である。
【００２０】
三次元モデリング装置の別の任意選択的な態様では、平面は、取り外し可能である。
【００２１】
好ましくは、この装置は、立方体の取り付け、取り外しを行うとともに、複数の三次元モデリング装置を互いに連結する、コーナファスナをさらに含む。
【００２２】
三次元モデリング装置の別の任意選択的な態様では、それらの印は、目盛りを有するマーキングまたは測定の単位である。
【００２３】
一部の実施例では、マーキングまたは測定の単位は、段階状に連続的に配置される。
【００２４】
本発明の別の態様では、地表下の探査ネットワークを表現するための三次元モデリング装置が提供される。この装置は、
−透明な中空の立方体であって、
ｏ密閉された地表下の容積部を表す６つの平面と、
ｏ６つの平面のうち少なくとも２つの平面に設けられた複数の貫通孔と、
ｏ極座標および方向を示すように各貫通孔の周囲に設けられた印と、
を備えた立方体と、
−地表下の探査井（exploration wells）を表す複数の透明なロッドであって、その各々が、少なくとも平面の対角線の長さを有するロッドと、
を含んでおり、
複数の貫通孔は、互いに等距離にあるとともに、地表下の探査ネットワークの三次元モデリングのために複数のロッドを、角度をなした状態で収容するように、互いに関して平行に揃えられており、
各ロッドは、地表下の探査井の角度および深さに対応する角度および深さで貫通孔内に挿入され、それによってもたらされるロッドが挿入された三次元モデリング装置により、容積部内に地表下の探査ネットワークの視覚的な表現を提供する。
【００２５】
三次元モデリング装置の別の任意選択的な態様では、平面およびロッドは、熱可塑性物質である。
【００２６】
好ましくは、熱可塑性物質は、ポリメタクリル酸メチルを備える。
【００２７】
三次元モデリング装置の別の任意選択的な態様では、貫通孔は円形形状を有する。
【００２８】
三次元モデリング装置の別の任意選択的な態様では、ロッドは円筒形である。
【００２９】
好ましくは、ロッドは可撓性を有する。
【００３０】
三次元モデリング装置の別の任意選択的な態様では、各ロッドは、地表下の探査井の種々の層を視覚的に表現すべくロッドにパターンを描くように、マーカで着色することが可能である。
【００３１】
一部の実施例では、種々の層が、地表下の堆積層または岩質を表す。
【００３２】
好ましくは、マーカは消去可能である。
【００３３】
三次元モデリング装置の別の任意選択的な態様では、平面は、取り外し可能である。
【００３４】
三次元モデリング装置の別の任意選択的な態様では、地表下の探査ネットワークを表現するためのモデリング装置が、立方体の取り付け、取り外しを行うとともに、複数の三次元モデリング装置を互いに連結する、コーナファスナをさらに含む。
【００３５】
三次元モデリング装置の別の任意選択的な態様では、それらの印は、目盛りを有するマーキングまたは測定の単位である。
【００３６】
一部の実施例では、マーキングまたは測定の単位は、段階状に連続的に配置される。
【００３７】
本発明の別の態様では、探査ネットワークの二次元外挿（bidimensional extrapolation）用システムが提供される。このシステムは、
−探査ネットワークを表現するための三次元モデリング装置であって、
ｏ透明な中空の立方体であって、
・密閉容積部を形成する６つの平面と、
・６つの平面のうち少なくとも２つの平面に設けられた複数の貫通孔と、
・極座標および方向を示すように各貫通孔の周囲に設けられた印と、
を含んだ立方体と、
ｏ探査チャネルを表す複数の透明なロッドであって、少なくとも平面の対角線の長さを有するロッドと、
を含み、
複数の貫通孔は、互いに等距離にあるとともに、互いに関して平行に揃えられており、
各ロッドは、探査チャネルの種々の層を視覚的に表現するようにマーカで着色され、
各ロッドは、探査チャネルの角度および深さに対応する角度および深さで貫通孔内に挿入され、それによってもたらされるロッドが挿入された三次元モデリング装置により、容積部内に探査ネットワークの視覚的な表現を提供する、三次元モデリング装置を含んでおり、
−探査ネットワークの二次元外挿を不透明な面に投影するように、三次元モデリング装置に対してある角度で指向される光源をさらに含む。
【００３８】
一部の実施例では、探査チャネルは、地表下の探査井を表す。
【００３９】
一部の実施例では、探査チャネルの種々の層は、地表下の堆積層または岩質を表す。
【００４０】
本発明の別の態様では、探査ネットワークを表現するための三次元モデリングキットが提供される。このキットは、
−密閉容積部を形成する透明な中空の立方体を組立てるための複数の平面であって、
ｏ少なくとも２つの平面に設けられた複数の貫通孔と、
ｏ極座標および方向を示すように各貫通孔の周囲に設けられた印と、
を含んだ平面と、
−探査チャネルを表す複数の透明なロッドであって、それぞれ、少なくとも平面の対角線の長さを有する複数のロッドと、
−立方体を組み立て、かつ、探査ネットワークの三次元モデルを作るための取扱説明書と、を含む。
【００４１】
キットの別の任意選択的な態様では、キットが、観測チャネルの様々な層を表すようにロッドにパターンを描くためのマーカをさらに含む。
【００４２】
キットの別の任意選択的な態様では、キットは、ロッドを支持し、かつそのロッドへのマーキングを容易にするためのロッドマーキングトレイをさらに含む。
【００４３】
好ましくは、キットは、取付け可能な複数の平面および複数のロッドの輸送、保護用のキャリーケースをさらに含む。
【００４４】
好ましくは、キットは、探査ネットワークの三次元モデルを固定するためのドッキングステーションをさらに含む。
【００４５】
好ましくは、キットは、立方体の取り付けおよび取り外しのためのコーナファスナをさらに含む。
【００４６】
詳細な説明および図面を参照することにより本発明の以下のおよびその他の目的および利点が明らかとなるであろう。
【図面の簡単な説明】
【００４７】
【図１Ａ】本発明の実施例によるロッドが挿入された三次元装置の斜視図。
【図１Ｂ】本発明の実施例によるロッドが挿入された三次元装置の別の斜視図。
【図２Ａ】組立て時の開放された三次元装置の斜視図。
【図２Ｂ】本発明の実施例による三次元装置の斜視図。
【図２Ｃ】本発明の実施例による複数の三次元モデリング装置の斜視図。
【図３】本発明の実施例による三次元装置の側面図。
【図４】本発明の実施例による探査ネットワークの二次元外挿用システムの斜視図。
【図５Ａ】本発明の実施例による探査ネットワークを表現する三次元モデリングキットの斜視図。
【図５Ｂ】本発明の実施例による三次元モデリングキットの任意選択的な特徴部の斜視図。
【図６Ａ】本発明の実施例によるロッドが挿入された三次元装置の上面図。
【図６Ｂ】本発明の実施例によるロッドが挿入された三次元装置の下面図。
【図６Ｃ】本発明の実施例によるロッドが挿入された三次元装置の側面図。
【図６Ｄ】本発明の実施例によるロッドが挿入された三次元装置の側面図。
【図６Ｅ】本発明の実施例によるロッドが挿入された三次元装置の側面図。
【図６Ｆ】本発明の実施例によるロッドが挿入された三次元装置の側面図。
【発明を実施するための形態】
【００４８】
例示の実施例に関連して本発明を記載したが、当然のことながら本発明の範囲をこうした実施例に限定することを意図するものではない。逆に言えば、全ての代替例、修正、および均等物が付記の特許請求の範囲に規定されるものと同様に包含されることを意図するものである。
【００４９】
本発明は、探査ネットワークを表現するための三次元モデリング装置に関する。本発明は、更に、密閉容積部を表す６つの平面を有する透明な中空の立方体と、６平面のうちの少なくとも２面に設けられた複数の貫通孔と、極座標および方向を示すように各開口部の周囲に設けられた印（indicia）と、を含む装置、システム、およびキットに関する。
【００５０】
以下の記載を通して言及する価値がある事は、構成要素を説明するように冠詞「ａ」が用いられる場合、これは「ただ一つの」という意味を有するのではなく、寧ろ「一つ以上の」という意味を有するということである。例えば、本発明の透明な中空の立方体を含む探査ネットワークの三次元モデリングは、本発明の範囲を逸脱することなく、一つ以上の探査ネットワークをモデリングするための一つ以上の透明な立方体を備えうる。
【００５１】
本出願で用いられる特定の用語およびこれに関連して用いられるそれらの意味は、参照を簡略化するために最初に説明される。本明細書で用いられる用語がそれ以下に定義されない限りにおいては、その用語には、関連技術の当業者が少なくとも一つの刊行物または発行済みの特許に反映されるものとして付与する定義のうち最も広い定義が付与される。さらに、全ての均等物、同義語、新たな開発、および同一または同様の目的を果たす用語または技術は、本発明の範囲に含まれると認められるため、本発明は以下に示される用語の慣用法によって限定されるものではない。
【００５２】
ここで用いるように、表現「三次元モデリング」または「三次元モデル」は、三次元の視覚的レプリカに関する。
【００５３】
ここで用いられるように、用語「探査（exploration）」は、概ね情報または資源の発見を意図する調査活動に関する。探査は、地質学、鉱物学、岩石学、地球科学、地形学、古生物学、層位学、構造地質学、土木地質学、堆積学、自然地理学、地球物理学、水文学、海洋学、氷河学、宇宙科学、または大気科学などのこれに限定しない様々な科学的教義において行われる。
【００５４】
ここで用いられるように、表現「探査ネットワーク（exploration network）」は、概ね探査機構すなわち複雑な探査グリッドまたは探査システムに関する。
【００５５】
ここで用いられるように、表現「探査チャネル（exploration channel）」は、概ね探査管（conduit）、探査ルート、または管状の探査経路に関する。
【００５６】
ここで用いられるように、表現「平面の対角線」とは、平面における一つの角からその平面の中心を通ってその向かい合う角で終端する任意の直線を意味する。
【００５７】
ここで用いられるように、用語「印（indicia）」は、概ねマーキングまたは指標に関し、種々のパラメータを表す。
【００５８】
ここで用いられるように、用語「物質（material）」は、概ね空間を占有する物体または物質（substance）に関する。
【００５９】
ここで用いられるように、表現「熱可塑性物質」は、概ね、ポリカーボネート、ポリメチルペンテン、ポリメタクリル酸メチル、スチレン・アクリロニトリル、またはアクリロニトリル・スチレン・アクリレートを含む、これに限定しない高分子材料に関する。
【００６０】
ここで用いられるように、用語「可撓性」は、概ね曲げやすさ、たわみやすさ、または柔軟性の性質に関する。
【００６１】
ここで用いられるように、用語「層（strata）」は、概ね一つの物質の上に自然にまたは人工的に形成される物質の複数の層に関する。
【００６２】
ここで用いられるように、表現「測定の単位」は、概ね物理量の具体的な大きさに関する。
【００６３】
ここで用いられるように、用語「地表下（subsurface）」は、概ね地表または水域の下の領域に関する。
【００６４】
ここで用いられるように、表現「地表下の探査」は、概ね「炭化水素探査」または「鉱物探査」に関し、炭化水素または鉱物を発見する目的での調査活動を表す。炭化水素または鉱物の探査方法は、探究する情報の量や種類はもとより、処理の異なる段階や探査される領域の規模に応じて様々である。「炭化水素」は、概ね炭素および水素を有する有機化合物に関する。「鉱物」は、概ね室温で安定した天然に生ずる物質に関し、化学式で表すことが可能であり、通常は非生物起源であり、規則正しい原子構造を有する。
【００６５】
ここで用いられるように、表現「探査井（exploration well）」は、概ね地表下へと沈み込んだ深い穴またはシャフトに関する。
【００６６】
ここで用いられるように、用語「岩質」は、概ね岩相層序単位の色、組織、粒径、または構成などの、物理的特性の記述に関する。
【００６７】
ここで用いられるように、用語「外挿（extrapolation）」は、概ね既知の情報の延長または投影による推定に関する。
【００６８】
以下の記載では、図面における同様の特徴部には同様の参照符号が付与され、図面を少なくするために、一部の構成要素については、それらが既に前出の図面において特定されている場合には、一部の図面には示されない。
【００６９】
図１Ａ，１Ｂを参照すると、三次元モデリング装置１０が、透明な中空の立方体１１を含む探査ネットワークを表現するように示される。立方体１１は、密閉容積部１３を表す６つの平面１２を含む。立方体１１はまた、６つの平面１２のうち少なくとも２つの面に設けられた複数の貫通孔１４と、極座標および方向を示すように各開口部の周囲に設けられた印１５と、を含む。三次元モデリング装置１０はまた、探査チャネルを表す複数の透明なロッド１６を含み、各ロッド１６は、少なくとも平面１２の対角線の長さを有する。貫通孔１４は互いに等距離にあるとともに、探査ネットワークの三次元モデリングのために複数のロッド１６を、角度をなした状態で収容（angularly receive）するように、それらの貫通孔１４は互いに関して平行に揃えられる。各ロッドは、探査チャネルの角度および深さに対応する角度および深さで貫通孔１４内に挿入され、その結果ロッド１６が挿入された装置１０により、表された容積部内に探査ネットワークの視覚的な表現が提供される。
【００７０】
立方体１１およびロッド１６が透明であることにより、モデル化された探査ネットワークの観察が可能となる。
【００７１】
図示されていないが、平面１２およびロッド１６は、科学者らが置かれる様々な環境条件に耐えうる熱可塑性物質でもよい。一般に熱可塑性物質は、優れた特性を有する周知のものであり、軽量化でき、高強度であり、製造時のエネルギー効率が良い。
【００７２】
好ましくは、熱可塑性物質は、その軽量性および耐破損性からPlexiglas（登録商標）としてよく知られているポリメタクリル酸メチルを含む。
【００７３】
三次元モデリング装置１０の別の任意選択的な態様では、貫通孔１４は、ロッド１６を様々な角度で挿入できるように円形形状かつ十分に大きい。
【００７４】
三次元モデリング装置１０の別の任意選択的な態様では、ロッド１６は円筒形である。
【００７５】
三次元モデリング装置１０の別の任意選択的な態様では、ロッド１６は可撓性を有する。
【００７６】
三次元モデリング装置１０の別の任意選択的な態様では、各ロッド１６は、探査チャネルの様々な層を表現すべくロッドにパターンを描くようにマーカで着色１７することが可能である。
【００７７】
図示されていないが、一部の実施例ではマーカは消去可能である。
【００７８】
図２Ａ，２Ｂ，２Ｃを参照すると、三次元モデリング装置１０の別の任意選択的な態様では、それらの平面は取り外し可能である。
【００７９】
三次元モデリング装置１０の別の任意選択的な態様では、この装置１０は、立方体１１の取り付け、取り外しを行うとともに、複数の三次元モデリング装置２２を互いに連結する、コーナファスナ２１をさらに含みうる。
【００８０】
図３を参照すると、印１５は、目盛り（divisions）を有するマーキングまたは測定の単位でもよい。学術的な状況では、各開口部１４の周りの印１５は、実地で行われるように、生徒により極座標と方向が得られるように用いられうる。
【００８１】
一部の実施例では、マーキングまたは測定の単位は、段階状に連続的に配置されてもよい。
【００８２】
再び図１Ａ，１Ｂを参照すると、本発明の別の態様では、三次元モデリング装置１０が、透明な中空の立方体１１を含む地表下の探査ネットワークを表現するように示される。立方体１１は、密閉された地表下の容積部１３を表す６つの平面１２を含む。立方体１１はまた、６つの平面１２のうち少なくとも２つの平面に設けられた複数の貫通孔１４と、極座標および方向を示すように各開口部の周囲に設けられた印１５と、を含む。三次元モデリング装置１０はまた、地表下の探査井を表す複数の透明なロッド１６を含み、各ロッド１６は、少なくとも平面１２の対角線の長さを有する。貫通孔１４は互いに等距離にあるとともに、地表下の探査ネットワークの三次元モデリングのために複数のロッド１６を、角度をなした状態で収容するように、それらの貫通孔１４は互いに関して平行に揃えられる。各ロッドは、地表下の探査井の角度および深さに対応する角度および深さで貫通孔１４内に挿入され、その結果ロッド１６が挿入された装置１０により、表された容積部１３内に地表下の探査ネットワークの視覚的な表現が提供される。
【００８３】
図示されていないが、平面１２およびロッド１６は、科学者らが置かれる様々な環境条件に耐えうる熱可塑性物質でもよい。一般に熱可塑性物質は、優れた特性を有する周知のものであり、軽量化でき、高強度であり、製造時のエネルギー効率が良い。熱可塑性物質は、例えば、ポリカーボネート、ポリメチルペンテン、ポリメタクリル酸メチル、スチレン・アクリロニトリル、またはアクリロニトリル・スチレン・アクリレートである。好ましくは、熱可塑性物質は、その軽量性および耐破損性からPlexiglas（登録商標）としてよく知られているポリメタクリル酸メチルを含む。
【００８４】
三次元モデリング装置１０の別の任意選択的な態様では、貫通孔１４は、ロッド１６を様々な角度で挿入できるように円形形状かつ十分に大きい。
【００８５】
三次元モデリング装置１０の別の任意選択的な態様では、ロッド１６は円筒形である。
【００８６】
三次元モデリング装置１０の別の任意選択的な態様では、ロッド１６は可撓性を有する。
【００８７】
三次元モデリング装置１０の別の任意選択的な態様では、各ロッド１６は、地表下の探査井の種々の層を表現すべくロッドにパターンを描くようにマーカで着色１７することが可能である。
【００８８】
一部の実施例では、種々の層は、探査時に発見しうる地表下の堆積層または岩質を表す。
【００８９】
図示されていないが、一部の実施例ではマーカは消去可能である。
【００９０】
再び図２Ａ，２Ｂ，２Ｃを参照すると、三次元モデリング装置１０の別の任意選択的な態様では、取り外し可能な平面２０が示されている。
【００９１】
三次元モデリング装置１０の別の任意選択的な態様では、この装置１０は、立方体１１の取り付け、取り外しを行うとともに、複数の三次元モデリング装置２２を互いに連結する、コーナファスナ２１をさらに含みうる。
【００９２】
図３を参照すると、印１５は、目盛りを有するマーキングまたは測定の単位でもよい。学術的な状況では、各開口部１４の周りの印１５は、実地で行われるように、生徒により極座標と方向が得られるように用いられうる。
【００９３】
一部の実施例では、マーキングまたは測定の単位は、段階状に連続的に配置されてもよい。
【００９４】
図４を参照すると、探査ネットワークの二次元外挿４０用のシステムが示される。このシステムは、透明な中空の立方体１１を含む探査ネットワークを表す三次元モデリング装置１０を含む。立方体１１は、密閉容積部１３を表す６つの平面１２を含む。立方体１１はまた、６つの平面１２のうち少なくとも２つの平面に設けられた複数の貫通孔と、極座標および方向を示すように各開口部の周囲に設けられた印と、を含む。三次元モデリング装置１０はまた、探査チャネルを表す複数の透明なロッド１６を含み、各ロッド１６は、少なくとも平面１２の対角線の長さを有する。貫通孔は互いに等距離にあるとともに、互いに関して平行に揃えられる。各ロッド１６は、観測チャネルの様々な層を視覚的に表現するようにマーカで着色される。各ロッド１６は、探査チャネルの角度および深さに対応する角度および深さで開口部に挿入され、その結果ロッド１６が挿入された装置１０により、表された容積部１３内に探査ネットワークの視覚的な表現が提供される。このシステムは、不透明な面に探査ネットワークの二次元外挿４０を投影するように三次元モデリング装置１０に対してある角度で指向される光源４１をさらに含む。
【００９５】
このシステムの別の任意選択的な態様では、観測チャネルは地表下の探査井を表す。
【００９６】
このシステムの別の任意選択的な態様では、観測チャネルの種々の層は、地表下の堆積層または岩質４２を表す。
【００９７】
図５Ａ，５Ｂを参照すると、探査ネットワークを表す三次元モデリングキットが示される。このキットは、密閉容積部を表すように透明な中空の立方体を組立てるための複数の取付け可能平面２０を含む。取付け可能平面２０は、それらの平面２０のうちの少なくとも２つの平面に設けられた複数の貫通孔と、極座標および方向を示すように各開口部の周囲に設けられた印と、を含む。このキットはまた、探査チャネルを表す複数の透明なロッド１６を含み、各ロッド１６は、少なくとも平面の対角線の長さを有する。このキットはまた、立方体を組み立て、探査ネットワークの三次元モデル１０を作るための取扱説明書５１を含む。
【００９８】
本発明の別の任意選択的な態様では、キットは、観測チャネルの様々な層を表すようにロッドにパターンを描くためのマーカ５２を含む。
【００９９】
本発明の別の任意選択的な態様では、キットは、ロッド１６を支持し、ロッド１６へのマーキングを容易にするためのロッドマーキングトレイ５３を含む。
【０１００】
本発明の別の任意選択的な態様では、キットは、取付け可能平面２０および複数のロッド１６の輸送、保護用のキャリーケース５４を含む。
【０１０１】
本発明の別の任意選択的な態様では、キットは、探査ネットワークの三次元モデルを固定するためのドッキングステーション５５を含む。
【０１０２】
本発明の別の任意選択的な態様では、キットは、立方体の取り付けおよび取り外しのためのコーナファスナ２１を含む。
【０１０３】
本発明の実施例を添付の図面に図示し、上述したように詳細に説明するが、本発明がそれらの明確な実施例に限定されるものではなく、本発明の範囲または精神を逸脱することなく種々の変更、修正が行われうることを理解されたい。
【図１Ａ】
2015537241.tif 000003
【図１Ｂ】
2015537241.tif 000004
【図２Ａ】
2015537241.tif 000005
【図２Ｂ】
2015537241.tif 000006
【図２Ｃ】
2015537241.tif 000007
【図３】
2015537241.tif 000008
【図４】
2015537241.tif 000009
【図５Ａ】
2015537241.tif 000010
【図５Ｂ】
2015537241.tif 000011
【図６Ａ】
2015537241.tif 000012
【図６Ｂ】
2015537241.tif 000013
【図６Ｃ】
2015537241.tif 000014
【図６Ｄ】
2015537241.tif 000015
【図６Ｅ】
2015537241.tif 000016
【図６Ｆ】
2015537241.tif 000017
【国際調査報告】
2015537241.tif 000018
2015537241.tif 000019